(57)【要約】【課題】スクロール文字を含む映像信号の文字のスクロール速度が一定でない場合でもスムーズに文字をスクロールさせることができる映像信号調整装置及び映像信号調整方法を提供する。【解決手段】映像出力端末１０と信号変換装置１２との間に文字領域検出部１１１、映像記録用メモリ１２及び映像調整部１１３で構成した映像信号調整装置１１を設け、文字領域検出部１１１が、映像出力端末１０からの映像信号Ｓgsにスクロール文字が含まれていればグラフィックとスクロール文字に分けて映像記録用メモリ１１２に書き込むと共に文字検出信号Ｓgdと座標Ｓmvを映像調整部１１３に入力し、映像調整部１１３が、スクロール文字の検出結果と座標Ｓmvに応じてスクロール文字の移動量が一定となるグラフィックとスクロール文字の組み合わせを映像記録用メモリ１１２から読み出し、それらを調整映像信号Ｓgadjとして信号変換装置１２に入力する。【選択図】図１
2008244817.tif 000002
【特許請求の範囲】
【請求項１】
映像出力端末より出力されるグラフィックとスクロール文字が合成された映像信号を調整する映像信号調整装置において、
映像信号の記録用に用いられる記憶手段と、
前記映像出力端末より出力される映像信号をフレーム毎にスクロール文字が含まれているかどうかを確認し、スクロール文字が含まれている場合はスクロール文字とグラフィックとに分けて前記記憶手段に記憶させるとともに、文字検出信号及び文字の座標を出力する文字領域検出手段と、
前記文字領域検出手段によるスクロール文字の検出結果と座標に応じて、スクロール文字の移動量が一定となるグラフィックとスクロール文字の組み合わせを前記記憶手段から読み出し、読み出したグラフィックとスクロール文字を調整映像信号として生成する映像調整手段と、
を備える映像信号調整装置。
【請求項２】
前記映像調整手段は、
前記文字領域検出手段より出力された座標と前フレームの座標が同じであるかどうかを確認し、同じであって且つスクロール文字が移動していないフレーム数が、スクロール文字の同一文字部分が同じ位置にあるフレーム数を表す定位置フレーム数を超えている場合は、前記記憶手段から前フレームのグラフィックとスクロール文字を読み出して調整映像信号として生成し、次のスクロール文字が移動したフレームが入力されたときは１フレーム前のグラフィックと現フレームのスクロール文字を調整映像信号として生成する請求項１に記載の映像信号調整装置。
【請求項３】
前記映像調整手段は、
前記文字領域検出手段より出力された座標と前フレームの座標が同じであるかどうかを確認し、座標が異なり且つスクロール文字が移動していないフレーム数が、スクロール文字の同一文字部分が同じ位置にあるフレーム数を表す定位置フレーム数未満である場合は、前記記憶手段から前フレームのグラフィックとスクロール文字を読み出して調整映像信号として生成し、次のフレームが入力されたときは１フレーム前のグラフィックと２フレーム前のスクロール文字を調整映像信号として生成する請求項１又は請求項２に記載の映像信号調整装置。
【請求項４】
グラフィックとスクロール文字を合成させた映像信号を出力する映像出力端末と、
前記映像出力端末から出力される映像信号を表示媒体に対応した信号に変換する信号変換装置と、
請求項１乃至請求項３のいずれかに記載の映像信号調整装置と、
を備える映像表示システム。
【請求項５】
映像出力端末から出力されるグラフィックとスクロール文字を合成させた映像信号に対し、文字のスクロールがスムーズになるように調整する映像信号調整方法において、
前記映像出力端末より出力される映像信号をフレーム毎にスクロール文字が含まれているかどうかを確認し、スクロール文字が含まれていれば、スクロール文字とグラフィックとに分けてメモリに記憶させると共に文字検出信号及び文字の座標を出力する文字領域検出工程と、
前記文字領域検出工程によるスクロール文字の検出結果と座標に応じて、スクロール文字の移動量が一定となるグラフィックとスクロール文字の組み合わせを前記メモリから読み出し、読み出したグラフィックとスクロール文字を調整映像信号として出力する映像調整工程と、
を備える映像信号調整方法。
【発明の詳細な説明】
【技術分野】
【０００１】
本発明は、グラフィックとスクロール文字が合成された映像信号をＬＥＤディスプレイ、ＣＲＴ、液晶ディスプレイ、プラズマディスプレイ等の表示媒体に表示させる映像表示システムに用いる映像信号調整装置及び映像信号調整方法に関する。
【背景技術】
【０００２】
従来、ＤＶＤプレーヤ、ビデオカメラ、パーソナルコンピュータ等の映像出力端末から出力される映像信号を、信号変換部を有する専用の信号変換装置を介して、ＬＥＤディスプレイ、ＣＲＴ、液晶ディスプレイ、プラズマディスプレイ等の表示装置に転送して表示する映像表示システムがある。
【０００３】
映像出力端末から出力される映像信号として、図１３に示すように、グラフィック（例えば図中の家を示すグラフィックに関するデータ）とスクロール文字（例えば図中の”４×４という新構造住宅”という移動する文字に関するデータ）とを合成したものがある。これは、グラフィックに解説用の文字（テロップ）を流すことで、視聴者に対してグラフィックの内容の理解を簡単にしたり、また緊急時の連絡を行う場合に利用される。
【０００４】
ところで、上述の映像表示システムは、映像出力端末からの映像信号を、専用の信号変換装置を介して大画面の表示装置で表示するものであるが、映像表示システムで出力される映像は、他の表示装置と同様に視角的に美しい映像であることが求められる。
【０００５】
視角的に美しく見せるために映像信号を補正する方法として、例えば、特許文献１に記載の方法が提案されている。また、映像中のテロップの処理に関する技術が特許文献２に記載されている。
【特許文献１】特開２００６−５９６１号公報
【特許文献２】特開平１０−１０８０９２号公報
【発明の開示】
【発明が解決しようとする課題】
【０００６】
しかしながら、従来の映像表示システムにおいては、次のような課題がある。
すなわち、映像信号を構成するデータのうちのグラフィックが単位時間毎に（フレームごとに）定期的に移動するのに対し、スクロール文字の移動量がグラフィックの移動量と連動しない場合がある。例えば、図１４に示すように、グラフィックが２フレーム変化したとき、文字が１フレーム分しか移動しなかったり、逆に、グラフィックが２フレーム変化したとき、文字が３フレーム分も移動してしまったりするときがある。
【０００７】
このような映像信号は、映像出力端末が有する表示部（小型のモニタ）上に表示した場合には、視聴者に対して大きな違和感を与えるものではなかったが、大型の表示部を有する表示装置に転送して表示すると、フレーム毎の文字の移動量の違いが視聴者に与える影響が無視できないものとなる。換言すれば、グラフィック中の文字スクロールが、視聴者にとって時々引っ掛かって見えてしまう場合があった。
【０００８】
本発明は係る事情に鑑みてなされたものであり、スクロール文字を含む映像信号を視聴者に対して違和感無く表示することが可能な映像信号調整装置及び映像信号調整方法を提供することを目的とする。
【課題を解決するための手段】
【０００９】
本発明の映像信号調整装置は、映像出力端末より出力されるグラフィックとスクロール文字が合成された映像信号を調整する映像信号調整装置において、映像信号の記録用に用いられる記憶手段と、前記映像出力端末より出力される映像信号をフレーム毎にスクロール文字が含まれているかどうかを確認し、スクロール文字が含まれている場合はスクロール文字とグラフィックとに分けて前記記憶手段に記憶させるとともに、文字検出信号及び文字の座標を出力する文字領域検出手段と、前記文字領域検出手段によるスクロール文字の検出結果と座標に応じて、スクロール文字の移動量が一定となるグラフィックとスクロール文字の組み合わせを前記記憶手段から読み出し、読み出したグラフィックとスクロール文字を調整映像信号として生成する映像調整手段とを備える。
【００１０】
上記構成によれば、スクロール文字の移動速度がグラフィックと対応しない映像信号であっても、スクロール文字の移動する速度を一定に制御することが可能となり、スムーズに文字をスクロールさせることができる映像調整信号を生成することができる。
【００１１】
また、上記構成において、前記映像調整手段は、前記文字領域検出手段より出力された座標と前フレームの座標が同じであるかどうかを確認し、同じであって且つスクロール文字が移動していないフレーム数が、スクロール文字の同一文字部分が同じ位置にあるフレーム数を表す定位置フレーム数を超えている場合は、前記記憶手段から前フレームのグラフィックとスクロール文字を読み出して調整映像信号として生成し、次のスクロール文字が移動したフレームが入力されたときは１フレーム前のグラフィックと現フレームのスクロール文字を調整映像信号として生成するものとしても良い。
【００１２】
上記構成によれば、スクロール文字が移動していないフレーム数が定位置フレーム数を超えている場合は、記憶手段から前フレームのグラフィックとスクロール文字を読み出して調整映像信号として出力し、次のスクロール文字が移動したフレームが入力されたときは１フレーム前のグラフィックと現フレームのスクロール文字を調整映像信号として出力するので、スクロール文字が定位置フレーム数を超えて移動してもスムーズにスクロールさせることができる。
【００１３】
また、上記構成において、前記映像調整手段は、前記文字領域検出手段より出力された座標と前フレームの座標が同じであるかどうかを確認し、座標が異なり且つスクロール文字が移動していないフレーム数が、スクロール文字の同一文字部分が同じ位置にあるフレーム数を表す定位置フレーム数未満である場合は、前記記憶手段から前フレームのグラフィックとスクロール文字を読み出して調整映像信号として生成し、次のフレームが入力されたときは１フレーム前のグラフィックと２フレーム前のスクロール文字を調整映像信号として生成するものとしても良い。
【００１４】
上記構成によれば、スクロール文字が移動していないフレーム数が定位置フレーム数を下回る場合は、記憶手段から前フレームのグラフィックとスクロール文字を読み出して調整映像信号として出力し、次のフレームが入力されたときは１フレーム前のグラフィックと２フレーム前のスクロール文字を調整映像信号として出力するので、スクロール文字が定位置フレーム数に達する前に移動してもスムーズにスクロールさせることができる。
【００１５】
また、本発明の映像表示システムは、グラフィックとスクロール文字を合成させた映像信号を出力する映像出力端末と、前記映像出力端末から出力される映像信号を表示媒体に対応した信号に変換する信号変換装置と、上記映像信号調整装置とを備える。
【００１６】
上記構成によれば、映像出力端末から出力されるスクロール文字を含む映像信号の文字のスクロール速度が一定でない場合でもスムーズに文字をスクロールさせることができる映像表示システムを提供できる。
【００１７】
本発明の映像信号調整方法は、映像出力端末から出力されるグラフィックとスクロール文字を合成させた映像信号に対し、文字のスクロールがスムーズになるように調整する映像信号調整方法において、前記映像出力端末より出力される映像信号を１フレーム毎にスクロール文字が含まれているかどうかを確認し、スクロール文字が含まれていれば、スクロール文字とグラフィックとに分けてメモリに記憶させると共に文字検出信号及び文字の座標を出力する文字領域検出工程と、前記文字領域検出工程によるスクロール文字の検出結果と座標に応じて、スクロール文字の移動量が一定となるグラフィックとスクロール文字の組み合わせを前記メモリから読み出し、読み出したグラフィックとスクロール文字を調整映像信号として出力する映像調整工程と、を備える。
【００１８】
上記方法によれば、スクロール文字を含む映像信号の文字のスクロール速度が一定でない場合でもスムーズに文字をスクロールさせることができる。
【発明の効果】
【００１９】
本発明は、映像出力端末より出力されるスクロール文字を含む映像信号の文字のスクロール速度が一定でない場合でもスムーズに文字をスクロールさせることができる。
【発明を実施するための最良の形態】
【００２０】
以下、本発明を実施するための好適な実施の形態について、図面を参照して詳細に説明する。
【００２１】
図１は、本発明の一実施の形態に係る映像表示システムの概略構成を示すブロック図である。図１において、本実施の形態の映像表示システム１は、映像出力端末１０と、映像信号調整装置１１と、信号変換装置１２と、表示媒体１３とを備えて構成される。
【００２２】
映像出力端末１０、信号変換装置１２及び表示媒体１３は、従来の映像表示システムの構成と同様であり、本発明では、映像信号調整装置１１を追加し、これを映像出力端末１０と信号変換装置１２との間に設け、映像出力端末１０からのスクロール文字の速度が一定でない映像信号に対して一定の速度に制御することを可能にしている。
【００２３】
映像出力端末１０は、ＤＶＤプレーヤ、ビデオカメラ、パーソナルコンピュータ等の映像信号を出力する映像機器である。この映像出力端末１０より出力される映像信号には、グラフィック（例えば図４中の家を示すグラフィックに関するデータ）とスクロール文字（例えば図４中の”４×４という新構造住宅”という移動する文字に関するデータ）
【００２４】
表示媒体１３は、ＬＥＤ（Light Emitting Diode）ディスプレイ、ＣＲＴ（Cathode Ray Tube）、液晶ディスプレイ、プラズマディスプレイ等の表示装置である。信号変換装置１２は、映像出力端末１０より出力され、映像信号調整装置１１で調整された映像信号を表示媒体１３に対応した信号に変換する。
【００２５】
映像信号調整装置１１は、文字領域検出部１１１、映像記録用メモリ１１２及び映像調整部１１３を備えている。
【００２６】
文字領域検出部１１１は、映像出力端末１０より出力される映像信号に対し、１コマ（１フレーム）毎にスクロール文字が含まれているかどうかを確認し、スクロール文字があればそれを抽出し、グラフィックとスクロール文字とに分けて映像記録用メモリ１１２に書き込む。また、スクロール文字を検出すると、映像調整部１１３に文字検出信号と座標（１コマ毎の先頭文字の座標）を入力し、スクロール文字を検出できなければ、映像調整部１１３に文字未検出信号のみを入力する。
【００２７】
因みに、映像信号から文字のみを抽出する技術は、前述した特許文献２に記載されているように、”テロップの画像領域が背景部分に比べて高輝度でありエッジが抽出しやすいという性質を用いた方法（例えば、茂木他、「ニュース映像中の文字認識に基づく記事の索引付け」、電子情報通信学会技術報告書ＩＥ９５−１５２，１９９６など）や、映像符号化の国際基準であるＭＰＥＧなどのフレーム間の相関を用いて符号化された映像データのうち、フレーム間の相関を用い、かつ動き補償を用いないで符号化された画素が時間的空間的に集中している部分を抽出する方法（特願平８−１３１８９８（「動画像テロップ抽出方法及び装置」）など”がある。
【００２８】
映像記録用メモリ１１２には、ＤＲＡＭ（Dynamic Random Access Memory）等の揮発性メモリが用いられ、グラフィック及び／又はスクロール文字を記憶する。
【００２９】
映像調整部１１３は、文字領域検出部１１１におけるスクロール文字の検出結果と座標に応じて、映像記録用メモリ１１２からグラフィックとスクロール文字情報を読み出し、調整映像信号として信号変換装置１２に入力する。
【００３０】
また、映像調整部１１３は、文字が移動しないフレーム（定位置フレーム）が何コマあったかをカウントするフレームカウンタ１１４を有している。なお、映像調整部１１３の機能の詳細は以下でフローチャートを用いて説明する。
【００３１】
次に、本実施の形態の映像表示システム１の動作を説明する。
図２はスクロール文字無しからスクロール文字有りに変化した時のコマ映像、図３は図２のコマ映像の流れを時間軸で表したものである。
【００３２】
スクロール文字の制御にあたっては、映像出力端末１０より出力される映像信号Ｓgsの映像に含まれる文字のスクロール速度を把握する必要がある。そのため、まずスクロール速度の把握の方法について説明する。
【００３３】
（スクロール速度の把握方法）
文字領域検出部１１１は、映像出力端末１０より出力された映像信号Ｓgsである映像Ｄ１に対し、文字が含まれているかどうかを確認する。このとき映像Ｄ１には文字が含まれていないため、映像調整部１１３に文字未検出信号Ｓgudを入力すると共に、映像Ｄ１をグラフィックとスクロール文字に分けて映像記録用メモリ１１２に書き込むが、このときスクロール文字は存在しないため、グラフィックＧ１のみを映像記録用メモリ１１２に書き込む。
【００３４】
映像調整部１１３は、文字未検出信号Ｓgudにより映像Ｄ１に文字が含まれていないことを確認すると、映像記録用メモリ１１２に格納されている前フレームの映像Ｄ１を調整映像信号Ｓgadjとして信号変換装置１２に入力する。信号変換装置１２は、調整映像信号Ｓgadjを表示媒体１３に対応した表示信号Ｓgsdに変換して表示媒体１３に入力する。信号変換装置１２における処理は、映像調整部１１３から調整映像信号Ｓgadjが入力される度に行われる。
【００３５】
次の映像Ｄ２の入力では、映像Ｄ１と同様にスクロール文字が存在しないため、映像Ｄ１に対する処理と同様の処理が行われ、信号変換装置１２に映像Ｄ１が調整映像信号Ｓgadjとして入力される。
【００３６】
続いて、映像Ｄ３が入力されると、映像Ｄ３には文字が含まれているため、文字領域検出部１１１は、映像調整部１１３に文字検出信号Ｓgdと文字の座標Ｓmvを入力すると共に、映像Ｄ３をグラフィックＧ３とスクロール文字Ｓ１に分けて映像記録用メモリ１１２に書き込む。
【００３７】
映像調整部１１３は、文字検出信号Ｓgdが入力されることで、映像Ｄ３に文字が含まれていることを認識し、さらに最初の文字検出かどうかを確認し、最初の文字検出である場合は、フレームカウンタ１１４を「１」に初期化し、自己の内部処理をスクロール速度確認状態にすると同時に映像記録用メモリ１１２に格納されている前フレームの映像Ｄ２を調整映像信号Ｓgadjとして信号変換装置１２に入力する。
【００３８】
続いて、映像Ｄ４が入力されると、文字領域検出部１１１は、映像Ｄ３に対する処理と同様の処理を行い、映像調整部１１３に文字検出信号Ｓgdと文字の座標Ｓmvを入力すると共に、映像Ｄ４をグラフィックＧ４とスクロール文字Ｓ１に分けて映像記録用メモリ１１２に書き込む。
【００３９】
映像調整部１１３は、映像Ｄ３が入力されたことでスクロール速度確認状態にあるため、文字検出信号Ｓgdが入力されると、座標Ｓmvが前回の映像Ｄ３の座標と同じであるかどうかを確認する。
【００４０】
前回の映像Ｄ３の座標と同じであれば、スクロール文字が定位置にあると判断し、フレームカウンタ１１４に「１」を加算する。同時に映像記録用メモリ１１２に格納されている前フレームの映像Ｄ３を調整映像信号Ｓgadjとして信号変換装置１２に入力する。
【００４１】
続いて、映像Ｄ５が入力されると、文字領域検出部１１１は、映像Ｄ４に対する処理と同様の処理を行い、映像調整部１１３に文字検出信号Ｓgdと文字の座標Ｓmvを入力すると共に、映像Ｄ５をグラフィックＧ５とスクロール文字Ｓ２に分けて映像記録用メモリ１１２に書き込む。
【００４２】
映像調整部１１３は、文字検出信号Ｓgdにより、フレーム数確認状態であることを認識すると、今回の座標Ｓmvが前回の映像Ｄ４の座標と同じであるかどうかを確認する。前回の映像Ｄ４の座標と異なる値であれば、スクロール文字が移動したと判断し、フレームカウンタ１１４の値を一時的に記憶するとともにフレームカウンタ１１４を「１」に初期化する。また同時に映像記録用メモリ１１２に格納されている前フレームの映像Ｄ４を調整映像信号Ｓgadjとして信号変換装置１２に入力する。
【００４３】
映像Ｄ６から映像Ｄ８は、映像Ｄ４、映像Ｄ５に対する処理と同様の処理を行う。これにより、映像Ｄ８の時点で、映像調整部１１３においては、映像Ｄ３〜映像Ｄ８間においてスクロール文字が２回移動しており、それに伴う文字部分の定位置のフレームカウンタ値を３回分保持していることになる。この値の平均値を取ることでスクロール文字の定位置フレーム数を決定し、映像Ｄ８以降の映像についてはこの定位置フレーム数をもってスクロール文字の制御を行うとともに、スクロール速度確認状態からスクロール文字制御状態へ移行させる。
【００４４】
（スクロール文字制御状態での処理）
次に、スクロール文字制御状態での処理について説明する。スクロール文字の移動においては、定位置フレーム数を超えた場合と、定位置フレーム数に到達する前に文字が移動してしまう現象の２種類が存在する。まずは定位置フレーム数を超えた場合における処理について説明する。
【００４５】
〔定位置フレーム数を超えた場合〕
図４は、スクロール文字が連続している時に定位置フレーム数を超えた場合のコマ映像を示す図である。また、図５は図４のコマ映像の流れを時間軸で表した図である。
【００４６】
文字領域検出部１１１は、映像出力端末１０から映像信号Ｓgsである映像Ｄ９から映像Ｄ１６が入力される毎に文字が含まれているかどうかを確認し、文字が含まれていれば、映像調整部１１３に文字検出信号Ｓgdと前フレームに対する文字の座標Ｓmvを入力すると共に、グラフィックとスクロール文字に分けて映像記録用メモリ１１２に書き込む。
【００４７】
また、文字が含まれていなければ、映像調整部１１３に文字未検出信号Ｓgudを入力すると共にグラフィックのみを映像記録用メモリ１１２に書き込む。
【００４８】
映像調整部１１３は、文字領域検出部１１１より入力された文字検出信号Ｓgdにより座標Ｓmvと前フレームの座標が同じであるかを確認する。もし同じであれば、文字が移動していないということになる。この場合、文字が移動していないフレーム数がスクロール速度確認状態で決定した定位置フレーム数以下であれば、映像記録用メモリ１１２から前フレームのグラフィックとスクロール文字を読み出し、調整映像信号Ｓgadjとして信号変換装置１２に入力する。
【００４９】
一方、映像Ｄ１３のように、文字が移動していないフレーム数が定位置フレーム数を超えてしまった場合は、映像記録用メモリ１３から前フレームのグラフィックＧ１２とスクロール文字Ｓ６を読み出し、調整映像信号Ｓgadjとして信号変換装置１２に入力するが、次の文字が移動した映像Ｄ１４が入力されたときは、グラフィックは映像Ｄ１３のグラフィックＧ１３、スクロール文字は映像Ｄ１４のスクロール文字Ｓ７を調整映像信号Ｓgadjとして信号変換装置１２に入力する。これにより、映像Ｄ１３は移動した文字を含んだ映像Ｄ１３’となる。
【００５０】
〔定位置フレーム数に到達する前に文字が移動してしまった場合〕
次に、定位置フレーム数に到達する前に文字が移動してしまった場合の処理について説明する。
【００５１】
図６は、スクロール文字が連続している時に定位置フレーム数に到達する前に文字が移動してしまった場合のコマ映像を示す図である。また、図７は図６のコマ映像の流れを時間軸で表した図である。
【００５２】
文字領域検出部１１１は、上述した”定位置フレーム数を超えた場合”における処理と同様に、映像出力端末１０より映像信号Ｓgsである映像Ｄ１７から映像Ｄ２４が入力される毎に、文字が含まれているかどうかを確認し、文字が含まれていれば映像調整部１１３に文字検出信号Ｓgdと文字の座標Ｓmvを入力すると共に、グラフィックとスクロール文字に分けて映像記録用メモリ１１２に書き込む。また、文字が含まれていなければ、映像調整部１１３に文字未検出信号Ｓgudを入力すると共に、グラフィックのみを映像記録用メモリ１１２に書き込む。
【００５３】
映像調整部１１３は、文字領域検出部１１１より入力された文字検出信号Ｓgdにより座標Ｓmvと前フレームの座標が同じであるかどうかを確認する。もし同じであれば、文字が移動していないということになる。
【００５４】
この場合、文字が移動していないフレーム数がスクロール速度確認状態で決定した定位置フレーム数以下であれば、映像記録用メモリ１１２から前フレームのグラフィックとスクロール文字を読み出し、調整映像信号Ｓgadjとして信号変換装置１２に入力する。
【００５５】
一方、映像Ｄ２０のように、文字が移動していないフレーム数が定位置フレーム数未満で文字が移動してしまった場合は、映像記録用メモリ１１２から前フレームのグラフィックＧ１９とスクロール文字Ｓ１０を読み出し、調整映像信号Ｓgadjとして信号変換装置１２に入力し、次の映像Ｄ２１が入力されたときは、グラフィックは映像Ｄ２０のグラフィックＧ２０、スクロール文字は映像Ｄ１９のスクロール文字Ｓ１０を調整映像信号Ｓgadjとして信号変換器１４に入力する。これにより、映像Ｄ２０は移動しない文字を含んだ映像Ｄ２０’となる。
【００５６】
上述した文字領域検出部１２と映像調整部１１の動作をフローチャートで表すと、図８〜図１２に示すようになる。この場合、図８は文字領域検出部１２の動作を示すフローチャート、図９〜図１２は映像調整部１１の動作を示すフローチャートである。以下、順を追って説明する。
【００５７】
〔文字領域検出部１１１の動作〕
図８において、文字領域検出部１１１は、まず映像出力端末１０より映像信号が入力されたかどうか判定し、映像信号が入力されていなければ（Ｓ１０−Ｎｏ）、この判定を繰り返し、映像信号が入力されれば（Ｓ１０−Ｙｅｓ）、映像出力端末１０より入力された映像信号に文字が含まれているかどうか判定する（Ｓ１１）。
【００５８】
この判定において映像信号に文字が含まれていなければ（Ｓ１１−Ｎｏ）、映像調整部１１３に文字未検出信号Ｓgudを入力し（Ｓ１２）、さらに映像記録用メモリ１１２にグラフィックを書き込む（Ｓ１３）。この処理を終えた後、ステップＳ１０の判定に戻る。
【００５９】
一方、ステップＳ１１の判定において、映像信号に文字が含まれていれば（Ｓ１１−Ｙｅｓ）、映像調整部１１３に文字検出信号Ｓgdを入力し（ステップＳ１４）、さらに座標Ｓmvを入力する（Ｓ１５）。次いで、映像記録用メモリ１１２にグラフィックと文字情報を分離して書き込む（Ｓ１６）。この処理を終えた後、ステップＳ１０の判定に戻る。
【００６０】
〔映像調整部１１３の動作〕
図９〜図１２において、映像調整部１１３は、まず文字情報検出部１１１より信号入力があるかどうか判定し、信号入力がなければ（Ｓ２０−Ｎｏ）この処理を繰り返す。これに対して信号入力があれば（Ｓ２０−Ｙｅｓ）、スクロール文字が定位置フレーム数を超えているか、または定位置フレーム数未満であるか判定する（Ｓ２１）。
【００６１】
この判定において、スクロール文字が定位置フレーム数を超えている場合は、図１０に示すステップＳ３１に進む。また、スクロール文字が定位置フレーム数未満の場合は、図１１に示すステップＳ３３に進む。また、定位置フレーム数を超えてなく、かつ定位置フレーム数未満でもない場合は、文字未検出又は文字検出のいずれかであり、文字未検出の場合は映像記録用メモリ１１２より１フレーム前の映像を読み出す（Ｓ２７）。
【００６２】
次いで、読み出した映像を信号変換装置１２に入力する（Ｓ２８）。この処理を行った後、ステップＳ２０に戻る。
【００６３】
また、文字検出の場合は、最初の文字検出かどうかを判定し（Ｓ２２）、最初の文字検出の場合は（Ｓ２２−Ｙｅｓ）ステップＳ２７に進み、映像記録用メモリ１１２より１フレーム前の映像を読み出す。そして、読み出した映像を信号変換装置１２に入力する（Ｓ２８）。
【００６４】
この処理を行った後、ステップＳ２０に戻る。最初の文字検出ではない場合は（Ｓ２２−Ｎｏ）、座標Ｓmvが前フレームと同一であるかどうか判定する（Ｓ２３）。座標Ｓmvが前フレームと同一である場合は（Ｓ２３−Ｙｅｓ）、スクロール文字制御状態であるかどうか判定し（Ｓ２４）、スクロール文字制御状態でなければスクロール速度確認状態であり（Ｓ２４−Ｎｏ）この場合は、映像調整部１１３のフレームカウンタ１１４の値を＋１する（Ｓ２６）。その後、ステップＳ２７とステップＳ２８を実行する。
【００６５】
これに対し、スクロール文字制御状態である場合は（Ｓ２４−Ｙｅｓ）、フレームカウンタ１１４の値が定位置フレーム数未満かどうか判定する（Ｓ２５）。フレームカウンタ１１４の値が定位置フレーム数未満の場合は（Ｓ２５−Ｙｅｓ）ステップＳ２６、ステップＳ２７及びステップＳ２８を実行する。
【００６６】
フレームカウンタ１１４の値が定位置フレーム数以上である場合は（Ｓ２５−Ｎｏ）、フレームカウンタ１１４の値を「１」に初期化し（Ｓ２９）、定位置フレームオーバーとなったことを記憶する（Ｓ３０）。その後、ステップＳ２７、ステップＳ２８を順次行い、ステップＳ２０に戻る。
【００６７】
また、上記ステップＳ２３の判定において、座標が前フレームと異なる場合は（Ｓ２３−Ｎｏ）、図１２に示すステップＳ３５に進む。このステップＳ３５に進むと、スクロール文字制御状態であるかどうか判定する。
【００６８】
スクロール文字制御状態でない場合は（Ｓ３５−Ｎｏ）、フレームカウンタの値を一時的に保持し（Ｓ３６）、そのフレームカウンタ値を３回保持したかを判定する（Ｓ３７）。フレームカウンタ値を３回保持していている場合は（Ｓ３７−Ｙｅｓ）、スクロール文字制御状態に設定し、保持している３回分のフレームカウンタ値の平均値を定位置フレーム数に設定し（Ｓ３８）、その後、フレームカウンタ１１４の値を「１」に初期化する（Ｓ３９）。この処理を行った後、ステップＳ２７に進み、ステップＳ２７、ステップＳ２８の処理を順次行って、ステップＳ２０に戻る。
【００６９】
また、フレームカウンタ値を３回分保持していない場合は（Ｓ３７−Ｎｏ）、ステップＳ３９に進み、フレームカウンタ１１４の値を「１」に初期化する（Ｓ３９）。この処理を行った後、ステップＳ２７に進み、ステップＳ２７、ステップＳ２８の処理を順次行って、ステップＳ２０に戻る。
【００７０】
また、ステップＳ３５の判定において、スクロール文字制御状態である場合は（Ｓ３５−Ｙｅｓ）、フレームカウンタ１１４の値が定位置フレーム数と同じかどうか判定する（Ｓ４０）。フレームカウンタ１１４の値が定位置フレーム数と同じであれば（Ｓ４０−Ｙｅｓ）、ステップＳ３９に進み、フレームカウンタ１１４の値を「１」に初期化し、その後、ステップＳ２７に進み、ステップＳ２７、ステップＳ２８の処理を順次行って、ステップＳ２０に戻る。
【００７１】
また、ステップＳ４０の判定において、フレームカウンタ１１４の値が定位置フレーム数と異なっていれば（Ｓ４０−Ｎｏ）、フレームカウンタ１１４の値を「０」に初期化する（Ｓ４１）。その後、定位置フレーム未満となったことを記憶し（Ｓ４２）、その後、ステップＳ２７に進み、ステップＳ２７、ステップＳ２８の処理を順次行って、ステップＳ２０に戻る。
【００７２】
図９に戻り、上記ステップＳ２１の判定において、スクロール文字が定位置フレーム数を超えている場合は、フレームカウンタ１１４の値を「＋１」にする（Ｓ３１）。次いで、映像記録用メモリ１１２より１フレーム前のグラフィックと現フレームのスクロール文字と組み合わせて新たな映像とし（Ｓ３２）、該映像を信号変換装置１２に入力する（Ｓ２８）。ステップＳ３１とステップＳ３２は、図４及び図５で説明した”スクロール文字が連続している時に定位置フレーム数を超えた場合”の処理である。
【００７３】
また、上記ステップＳ２１の判定において、スクロール文字が定位置フレーム数未満の場合は、フレームカウンタ１１４の値を「＋１」にする（Ｓ３３）。次いで、映像記録用メモリ１１２より１フレーム前のグラフィックと２フレーム前のスクロール文字と組み合わせて新たな映像とし（Ｓ３４）、該映像を信号変換装置１２に入力する（ステップＳ２８）。ステップＳ３３とステップＳ３４は、図６及び図７で説明した”定位置フレーム数に到達する前に文字が移動してしまった場合”の処理である。
【００７４】
なお、スクロール文字制御状態で文字領域検出部１１１から文字未検出信号Ｓgudが入力された場合はスクロール文字が無くなったと判断し、スクロール文字制御状態を解除し、スクロール速度の把握から行うようにする。
【００７５】
このように、本実施の形態の映像表示システム１によれば、映像出力端末１０と信号変換装置１２との間に、文字領域検出部１１１、映像記録用メモリ１２及び映像調整部１１３で構成した映像信号調整装置１１を設け、この映像信号調整装置１１の文字領域検出部１１１が、映像出力端末１０より出力される映像信号Ｓgsにスクロール文字が含まれているかどうかを確認し、スクロール文字が含まれていれば、グラフィックとスクロール文字に分けて映像記録用メモリ１１２に書き込むと共に文字検出信号Ｓgdと座標Ｓmvを映像調整部１１３に入力し、映像調整部１１３が、スクロール文字の検出結果と座標Ｓmvに応じて、スクロール文字の移動量が一定となるグラフィックとスクロール文字の組み合わせを映像記録用メモリ１１２から読み出し、読み出したグラフィックとスクロール文字を調整映像信号Ｓgadjとして信号変換装置１２に入力する。
【００７６】
スクロール文字の移動量が一定となるグラフィックとスクロール文字の組み合わせにおいて、スクロール文字が移動していないフレーム数が定位置フレーム数を超えている場合は、映像記録用メモリ１１２から前フレームのグラフィックとスクロール文字を読み出して調整映像信号Ｓgadjとして出力し、次のスクロール文字が移動したフレームが入力されたときは１フレーム前のグラフィックと現フレームのスクロール文字を調整映像信号Ｓgadjとして出力する。
【００７７】
また、スクロール文字が移動していないフレーム数が定位置フレーム数を下回る場合は、映像記録用メモリ１１２から前フレームのグラフィックとスクロール文字を読み出して調整映像信号Ｓgadjとして出力し、次のフレームが入力されたときは１フレーム前のグラフィックと２フレーム前のスクロール文字を調整映像信号Ｓgadjとして出力する。
【００７８】
これにより、スクロール文字の速度が一定でない映像信号を一定の速度に制御することが可能となり、映像出力端末１０より出力されるスクロール文字を含む映像信号の文字のスクロール速度が一定でない場合でもスムーズに文字をスクロールさせることができる。
【００７９】
なお、上記実施の形態の説明では、信号調整装置１１と信号変換装置１２とを別の装置として説明したがこの例に限られず、例えば、信号調整装置１１の機能を信号変換装置１２が含む構成としても良いし、信号調整装置１１の機能と信号変換装置１２の機能とを表示媒体１３に内蔵する構成しても良い
【産業上の利用可能性】
【００８０】
本発明は、映像出力端末より出力されるスクロール文字を含む映像信号の文字のスクロール速度が一定でない場合でもスムーズに文字をスクロールさせることができるといった効果を有し、宣伝及び広告を目的としたの映像表示システムへの適用が可能である。
【図面の簡単な説明】
【００８１】
【図１】本発明の一実施の形態に係る映像表示システムの概略構成を示すブロック図
【図２】図１の映像表示システムにおいてスクロール文字無しからスクロール文字有りに変化した時のコマ映像例を示す図
【図３】図２のコマ映像の流れを時間軸で表した図
【図４】図１の映像表示システムにおいてスクロール文字が連続している時に定位置フレーム数を超えた場合のコマ映像例を示す図
【図５】図４のコマ映像の流れを時間軸で表した図
【図６】図１の映像表示システムにおいてスクロール文字が連続している時に定位置フレーム数に到達する前に文字が移動してしまった場合のコマ映像例を示す図
【図７】図６のコマ映像の流れを時間軸で表した図
【図８】図１の文字領域検出部の動作を説明するためのフローチャート
【図９】図１の映像調整部の動作を説明するためのフローチャート
【図１０】図１の映像調整部の動作を説明するためのフローチャート
【図１１】図１の映像調整部の動作を説明するためのフローチャート
【図１２】図１の映像調整部の動作を説明するためのフローチャート
【図１３】静止画や動画を含むグラフィックとスクロール文字とを合成した映像例
【図１４】従来の映像表示システムにおいて起こり得る文字部分の定位置フレーム数が時々ずれるコマ映像例を示す図
【符号の説明】
【００８２】
１  映像表示システム
１０  映像出力端末
１１  映像信号調整装置
１２  信号変換装置
１３  表示媒体
１１１  文字領域検出部
１１２  映像記録用メモリ
１１３  映像調整部
１１４  フレームカウンタ
【図１】
2008244817.tif 000003
【図２】
2008244817.tif 000004
【図３】
2008244817.tif 000005
【図４】
2008244817.tif 000006
【図５】
2008244817.tif 000007
【図６】
2008244817.tif 000008
【図７】
2008244817.tif 000009
【図８】
2008244817.tif 000010
【図９】
2008244817.tif 000011
【図１０】
2008244817.tif 000012
【図１１】
2008244817.tif 000013
【図１２】
2008244817.tif 000014
【図１３】
2008244817.tif 000015
【図１４】
2008244817.tif 000016